(57)【要約】【課題】積雪の状況等に応じて最適な融雪性能を選択することができる融雪装置を提供する。【解決手段】遠赤外線型融雪装置において、該遠赤外線照射装置の高さを可変とする。好ましくは、該遠赤外線照射装置は遠赤外線の照射角度が可変に構成されており、該遠赤外線照射装置の高さと照射角度とを選択して組み合わせることで遠赤外線の照射範囲を調整可能に構成する。【選択図】図１
2004044145.tif 000002
【特許請求の範囲】
【請求項１】
遠赤外線照射装置から遠赤外線を照射することで融雪を行なう遠赤外線型融雪装置において、該遠赤外線照射装置の高さを可変としたことを特徴とする遠赤外線型融雪装置。
【請求項２】
請求項１において、該遠赤外線照射装置は遠赤外線の照射角度が可変に構成されており、該遠赤外線照射装置の高さと照射角度とを選択して組み合わせることで遠赤外線の照射範囲を調整可能に構成したことを特徴とする遠赤外線型融雪装置。
【請求項３】
請求項１，２いずれかにおいて、該遠赤外線照射装置は複数の遠赤外線照射体を有しており、該遠赤外線照射体から選択的に遠赤外線を照射するように構成したことを特徴とする遠赤外線型融雪装置。
【請求項４】
請求項１乃至３いずれかにおいて、該遠赤外線型融雪装置はシャッターカーテンの前面側に設けてあり、該遠赤外線照射装置は、該シャッターカーテンのガイドレールの前面側に設けたガイド部材に案内されて上下動することを特徴とする遠赤外線型融雪装置。
【発明の詳細な説明】
【０００１】
【発明の属する技術分野】
本発明は、遠赤外線を利用した融雪装置に関するものである。
【０００２】
【従来の技術】
降雪寒冷地域においては、路面上の積雪や、積雪が凍結して形成された氷層を除去する必要があり、このような積雪等を除去する装置としていわゆる融雪装置が用いられる。融雪装置には幾つかの種類があるが、融雪装置の一つの形態として、遠赤外線を用いたものがある。
【０００３】
従来の遠赤外線を利用した照射型の融雪装置においては、特開平１１−２４１３０４に開示されたもののように、該装置は一定の高さに固定して設置されている。このため、人・車が通る場所を融雪しようとすると、高い位置に装置を設置することが必要となり、融雪性能を確保するために多大な電力エネルギーが必要となったり、また、雪残りのある不十分な融雪となったりしていた。
【０００４】
【発明が解決しようとする課題】
本発明は、上記不具合を解決するために創案されたものであって、積雪の状況等に応じて最適な融雪性能を選択することができる融雪装置を提供することを目的とするものである。
【０００５】
【課題を解決するための手段】
かかる課題を達成するために本発明が採用した技術手段は、遠赤外線照射装置から遠赤外線を路面に照射することで該路面の融雪を行なう遠赤外線型融雪装置において、該遠赤外線照射装置の高さを可変としたものである。該遠赤外線照射装置の高さを変化させることで遠赤外線の照射範囲が調整可能となる。また、降雪状況等により装置の高さを調節することで、使用融雪エネルギーを節減することができる。
【０００６】
さらに好ましくは、該遠赤外線照射装置は遠赤外線の照射角度が可変に構成されており、該遠赤外線照射装置の高さと照射角度とを選択して組み合わせることで遠赤外線の照射範囲を調整可能に構成したことを特徴とする。
【０００７】
一つの好ましい態様では、該融雪装置は間隔を存して立設した２本のガイド部材を有し、該遠赤外線照射装置は全体として長尺状の外形を有し、該遠赤外線照射装置の左右端部を該ガイド支柱に上下動可能かつ選択した位置で固定可能になっている。より具体的には、該該遠赤外線型融雪装置はシャッターカーテンの前面側に設けてあり、該遠赤外線照射装置は、該シャッターカーテンのガイドレールの前面側に設けたガイド部材に案内されて上下動する。一つの好ましい態様では、該シャッターカーテンは、ガレージやカーポートの前面の開口部を開閉するものである。
【０００８】
【発明の実施の形態】
本発明の実施の形態を図面に基づいて説明する。図１において、ガレージの前面に遠赤外線型融雪装置を設けたものが例示されている。ガレージは、車の出入口を形成する前面１、左右の側面２、屋根部３、後面（図示せず）を有しており、前面１はシャッターカーテン４によって開閉可能となっており、前面１を構成する開口部の左右両端部にはシャッターカーテン４の左右端部を案内するガイドレールを構成する支柱５が立設されている。支柱５には遠赤外線照射装置７を案内するガイド部材６が設けてある。
【０００９】
ガイド部材６は、互いに直交する二つの辺６０，６１から断面視Ｌ形状を有しており、かつ、上下方向に延出する長尺材である。ガイド部材６は、一辺６０を介してガイド支柱５に固着されており、他辺６１が遠赤外線照射装置７を案内するガイド辺を構成している。尚、ガイド部材６を、支柱５の一部として一体的に形成しても良い。図１では、支柱５の前面側にガイド部材６を装着したものを示しており、ガイド部材６のみが図示されている。
【００１０】
遠赤外線照射装置７は、左右のガイド部材６間に掛け渡すように水平方向に延出しており、全体として長尺状の外形を有している。一つの好適な態様では、遠赤外線照射装置７は棒状の遠赤外線照射体７０と、湾曲状の反射面を有する長尺状の反射板７１とを有しており、反射板７１はケース板７２の内面に装着されている。棒状の遠赤外線照射体７０は、その端部において、反射板７１あるいはケース板７２より持ち出し状に延設した左右の装着片７３間に支持されている。図１のものでは、二つの遠赤外線照射体７０が左右方向に連設されている。尚、図１のように、ガレージやカーポートの前面に左右方向に延出する遠赤外線照射装置７を設けることで、遠赤外線照射装置を帯状ゲートとして使用することもできる。また、ガレージやカーポートの前面に限らず、左右のガイド部材間に上下に移動可能な遠赤外線照射装置を設ける場合に、不使用時や人や車の通過時には、該装置を上方に移動させて収納することができ、ガイド部材間に有効スペースを確保することができる。
【００１１】
ケース板７２の左右の側面７２０には、取付ブラケット８が設けてある。取付ブラケット８は、遠赤外線照射装置７の長さ方向に延出する（辺６１の延出方向）部位８０と遠赤外線照射装置７の長さ方向に直交する（辺６０の延出方向）部位８１とから断面視において概ねＬ形状を有している。部位８０には断面視コ字状を形成する被ガイド辺８００，８０１が形成されており、被ガイド辺８００，８０１間にガイド部材６の辺６１を受け入れることで、辺６１に沿って遠赤外線照射装置７が上下方向に案内される。
【００１２】
部位８１は板状体であり、部位８１の面部と遠赤外線照射装置７の側面７２０とを対向近接させて、角度調整用螺子９によって、部位８１と側面７２とを連結してある。角度調整用螺子９を回転させることで、取付ブラケット８に対して遠赤外線照射装置７を回転させることができる。すなわち、取付ブラケット８に対して遠赤外線照射装置７を回転させることで、反射板７１の姿勢（角度）が可変となり、反射板７１の角度を変化させることで、照射範囲を変更・調整することができる。反射板７１の角度調整の手段は、図示のものには限定されず、また、角度調整は手動で行なうものでも、電動で行なうものでもよい。
【００１３】
ガイド部材６の上方には、巻取装置１０が設けてある。巻取装置１０は例えば、支柱５の上方に設けた被取付部材１１に固定されている。取付ブラケット８の部位８０、具体的には一方の被ガイド辺８０１、には巻取装置１０の巻取チェーン１００が固定されている。巻取チェーン１００は巻取方向に付勢されている。
【００１４】
ガイド部材６の辺６１には、長さ方向（上下方向）に間隔を存して複数の固定用フック１２が設けてある。図では、一つの固定用フック１２のみが例示されている。巻取チェーン１００の付勢力に抗って遠赤外線照射装置７を下方に移動させて、遠赤外線照射装置７に設けた取付ブラケット８の被ガイド辺８００を固定用フック１２に係止させることで、遠赤外線照射装置７は所望の高さ位置で固定される。遠赤外線照射装置７の高さ位置を変更したい場合には、辺８００と固定用フック１２の係止を解除して、他の高さに位置する固定用フック１２を選択して、辺８００を係止させる。このようにして、遠赤外線照射装置７はガイド部材６に対して上下動可能かつ選択した位置で固定可能に装着される。
【００１５】
図６は、遠赤外線の照射角度を可変とする他の実施形態を示している。このものでは、遠赤外線照射装置を構成する遠赤外線照射体を長尺かつ平板状の照射体から構成し、板状遠赤外線照射体の角度を変化させることで遠赤外線の照射角度を可変とする。遠赤外線照射体自体の角度を変化させる具体的な構成を例示する。遠赤外線照射装置は、下方部位が開口状の直方体状の箱型のケーシング７００を有しており、短尺方向に互いに揺動可能に連設した三枚の板状遠赤外線照射体７０１，７０２，７０３をケーシング７００の開口部に設ける。一端側の遠赤外線照射体７０１は水平方向に若干移動できる状態で、水平状に設けられる。例えば、遠赤外線照射体７０１の長さ方向端部をケーシング７００の開口部周縁に形成したガイド枠７０６に設ける。ケーシング７００の上壁に近接して、水平状の遠赤外線照射体７０１の上方に位置してスプロケット７０４が設けてあり、スプロケット７０４に巻回されるチェーン７０５の一端は水平状の遠赤外線照射体７０１の短尺方向の端部に固定されている。チェーン７０５他端はケーシング７００の上壁に沿って延出し、連設された三つの遠赤外線照射体の他端側の遠赤外線照射体７０３の短尺方向の端部に固定されている。遠赤外線照射体７０３の端部は、ケーシング７００の側壁に形成したガイド枠７０７に沿って上下動可能となっている。図示しないモータによってスプロケット７０４を電動回転させることで、遠赤外線照射体７０３の端部の高さを変えることによって、遠赤外線照射体７０２，７０３の角度が変更できるようになっている。
【００１６】
図９は、他の実施形態であり、スラットを連設してなるシャッターカーテンに代えて、吹込み防止シート（シート状のシャッターカーテン）１３を用いたものを示している。遠赤外線照射装置７は吹込み防止シート１３の前面側に設けても、あるいは吹込み防止シート１３の下端に設けても良い。
【００１７】
本発明の作用について、図７、図８に基づいて説明する。図８は、遠赤外線照射装置７が高い位置、すなわち、地面からより離隔した位置、に設置されている。遠赤外線照射装置７が地面から遠いために、より大きな照射エネルギーが必要となり、結果として消費電力も大きくなる。図７では、赤外線照射装置７が図８のものに比べて低い位置、すなわち、地面により近づいた位置、に設置されている。遠赤外線照射装置７が地面により近いため、図８の場合に比べてより小さな照射エネルギーで済み、結果として消費電力も少なくなる。一方、図７において、遠赤外線照射体の照射角度が図８の場合と同じであるとすると、地面における照射範囲Ｌは図８のものに比べて小さくなってしまう。この時、図７においても、図８の場合と同じ照射範囲Ｌを確保したい場合には、遠赤外線照射体の照射角度を前方向きに変化させればよい。すなわち、特に、遠赤外線照射装置の高さ位置および遠赤外線の照射角度を可変とすることで、一定の融雪面積（照射範囲）を確保したり、あるいは、必要融雪面積に合わせて照射範囲を変更することができる。尚、遠赤外線照射装置の上下移動および照射角度の調整は、手動であっても、電動であってもよい。
【００１８】
また、遠赤外線照射体を複数備える遠赤外線照射装置を設置することで、装置全体としての照射出力を、装置の設置高さ、降雪状況、外気温と関連させて調整することで、最適な照射出力で運転することができ、更なる省エネルギーを図ることが可能である。具体的には、図１のものでは、二つの棒状遠赤外線照射体７０を片側交互運転したり、あるいは、図６のものでは、板状遠赤外線照射体７０１，７０２，７０３の枚数間引き運転（２枚あるいは１枚のみから遠赤外線を照射）したりすることで、運転パターンを変えることにより消費電力を節約できる。このように複数の遠赤外線照射体から選択的に遠赤外線を照射させるには、該遠赤外線照射体に選択的に電力が供給されるように制御すればよい。
【００１９】
【発明の効果】
本発明は上述のような構成を備えており、降雪状況等により遠赤外線照射装置の高さを調節することで、使用融雪エネルギー（電力）を節減することができる。また、遠赤外線照射装置の上下位置によって照射範囲を調整できるので、最適な融雪性能を確保できる。特に、照射角度を可変とする構成を有するものにおいては、高さと照射角度の組み合わせによって、より良好に照射範囲を調整することができる。該遠赤外線型融雪装置をシャッターカーテンの前面側に設けたものにおいては、全閉時に、凍結によって該シャッターカーテンの座板が床面に付着したり、積雪によって該シャッターカーテンの開放ができないような場合に、遠赤外線照射装置によって、シャッターカーテンの下端部位の凍結や積雪を融かすことによって、円滑にシャッターカーテンを開放することができる。
【図面の簡単な説明】
【図１】本発明に係る遠赤外線照射装置を設けたガレージの正面図である。
【図２】遠赤外線照射装置の端部とガイド部材との取り合いを示す部分斜視図である。
【図３】遠赤外線照射装置の端部とガイド部材との取り合いを示す部分断面図である。
【図４】遠赤外線照射装置の端部とガイド部材との取り合いを示す部分正面図である。
【図５】棒状型の遠赤外線照射装置を側面図である。
【図６】平板型の遠赤外線照射装置を側面図である。
【図７】遠赤外線照射装置からの照射範囲を示す図であって、該装置は地面に比較的近く、かつ、照射角度はやや前方向きとなっている。
【図８】遠赤外線照射装置からの照射範囲を示す図であって、該装置は地面から離れており、かつ、照射角度は下向きとなっている。
【図９】本発明の他の実施形態に係る遠赤外線照射装置を設けたガレージの正面図である。
【符号の説明】
６　　ガイド部材
７　　遠赤外線照射装置
７０　遠赤外線照射体
８　　取付ブラケット
８００　被ガイド辺
８０１　被ガイド辺
９　　角度調整用螺子
１０　巻取装置
１２　固定用フック
【図１】
2004044145.tif 000003
【図２】
2004044145.tif 000004
【図３】
2004044145.tif 000005
【図４】
2004044145.tif 000006
【図５】
2004044145.tif 000007
【図６】
2004044145.tif 000008
【図７】
2004044145.tif 000009
【図８】
2004044145.tif 000010
【図９】
2004044145.tif 000011